(57)【要約】【課題】部品管理がし易く、取り扱い性に優れた開閉体の案内部材を提供する。【解決手段】本案内部材１，２は、走行面１ａ，２ａ及び案内面１ｂ，２ｂが一体に押出成形された同一形状の、中空で長尺をなす断面略矩形状型部材であり、これらが一組となって用いられる。本実施の形態では、案内部材１による案内面１ｂが開口部４の上縁部、即ち天板３ａの縁部３ａ１に、また、案内部材２による走行面２ａが開口部４の下縁部、即ち地板３ｂの縁部３ｂ１に配設され、案内部材１の案内面１ｂ側と案内部材２の走行面２ａ側とが向き合う態様となり、扉６，７が滑動するための、案内面１ｂの大溝１ｂ１，１ｂ２と走行面２ａの小溝２ａ１，２ａ２とがそれぞれ向き合う。【選択図】　図１
2004079758.tif 000002
【特許請求の範囲】
【請求項１】
キャビネット等の収納箱の開口部に配設され、且つ、該開口部の上下縁部に互いに向き合う態様で配設される案内部材であって、該開口部を開閉すべく滑動する開閉体の走行面及び案内面が一体に成形され、前記走行面が前記上下縁部のいずれか一方側に配設されるときに、前記案内面が前記上下縁部のいずれか他方側に配設されて両者が互いに向き合う態様で配設されることを特徴とする開閉体の案内部材。
【請求項２】
前記走行面及び案内面は、長尺をなす断面略矩形状部材の矩形外面のうちの外上面及び外下面にそれぞれ形成される一方、前記矩形外面のうちの外側面の一方には前記開口部への取付面が形成され、また、前記矩形外面のうちの外側面の他方には前記開口部のための化粧面が形成されることを特徴とする請求項１に記載の開閉体の案内部材。
【発明の詳細な説明】
【０００１】
【発明の属する技術分野】
本発明は、キャビネット等の収納箱を開閉する扉等の開閉体のために収納箱に配設される案内部材に関する。
【０００２】
【従来の技術】
キャビネット等の収納箱を扉等の開閉体で開閉する際に、当該開閉体をスムーズに移動させるために、収納箱には案内部材が配設されている。このような案内部材は、収納箱の天板に取り付けられる木製のレール保持部材に凹所を穿設加工などして、かかる凹所にレールを収納する構造のものが多用されていたが、この構造のものは、長尺のレール保持部材に凹所を穿設加工などするために多大な労力や手数を要する上、保持部材の凹所の加工がレールの幅に対して大き過ぎると、凹所へのレールの収納に際し隙間が生ずる問題があった。しかるに、この問題を解決すべく提案された案内部材の取付構造として、実用新案登録番号第２５１６４６３号に開示のものがある。
ここに開示された構造のものは、図８に示すように、収納部１００の天板１０１の先端上面に、押出成形されたレール保持部材１０２を取り付け、このレール保持部材１０２の先端部に下方開口の凹所１０３を形成してこの凹所１０３に上レール１０４を収納するものであり、このような構造により、凹所１０３の製作の煩わしさを回避し、また、凹所における上レール１０４との隙間を生じ難くしている。
【０００３】
【発明が解決しようとする課題】
しかし、実用新案登録番号第２５１６４６３号に開示の構造のものは、上記隙間は生じ難くなると言っても、レール保持部材と上レールは一体ではないので、レール保持部材に上レールを収納するに要する労力や手数は依然として解消されるに至っていない。また、図８からわかるように、開閉扉（開閉体）１０５の上部に設けられる上レール１０４に対応してその下部に下レール１０６が配設されるのが通常であるが、上レール（同図ではレール保持部材を含む上レール）と下レールとは別体であり、両者が共用できる構造をなしていないため、上レールだけでなくこれに対応する下レールをも部品管理しなければならず管理面での取り扱い性に欠けるところがある。更に、開閉扉の上部及び下部のそれぞれに配設されるレールは、当初から所定位置に配設されるべく形状等が決められているために、上レールと下レールを交換して、開閉扉の上部に下レールを、また、開閉扉の下部に上レールを取り付けるような要求があっても直ちに対応することができず、フレキシブル性に欠けるところがある。
【０００４】
本発明の目的は、部品管理がし易く、取り扱い性に優れた開閉体の案内部材を提供することにある。
【０００５】
【課題を解決するための手段】
上記課題を解決するために、本発明の請求項１に記載の開閉体の案内部材は、キャビネット等の収納箱の開口部に配設され、且つ、この開口部の上下縁部に互いに向き合う態様で配設され、しかも、収納箱の開口部を開閉すべく滑動する、扉等の開閉体の走行面及び案内面が一体に成形されるものであり、かかる走行面及び案内面のうちの走行面が開口部の上下縁部のいずれか一方側に配設されるときに、案内面が開口部の上下縁部のいずれか他方側に配設されて両者が開口部の上下縁部で向き合う態様で配設されるようにしたものである。本案内部材によれば、本案内部材を開口部の上下縁部のいずれにも配設することができるので、即ち、従来例の上レールとしても下レールとしても用いることができるので、部品管理がし易く、取り扱い性に優れたものとなる。また、本案内部材を開口部の上下縁部のいずれにも配設することができることは、案内面を上端部から下端部に変更し、走行面を下端部から上端部に変更することができるので、従来のものに比しフレキシブル性に優れたものとなっている。
【０００６】
また、本発明の請求項２に記載の開閉体の案内部材は、上述した走行面及び案内面が、長尺をなす断面略矩形状部材の矩形外面のうちの外上面及び外下面にそれぞれ形成される一方、かかる矩形外面のうちの外側面の一方には上記開口部への取付面が形成され、また、かかる矩形外面のうちの外側面の他方には上記開口部のための化粧面が形成されるようにして、化粧材を付設して開口部を覆うことを要せず使い勝手をよいものとしている。
【０００７】
【発明の実施の形態】
本発明の実施の形態に係る案内部材を図１〜３を参照して説明する。
本案内部材１，２は、図１に示すように、後に詳述する走行面１ａ，２ａ及び案内面１ｂ，２ｂが一体に押出成形された同一形状の、中空で長尺をなす断面略矩形状型部材であり、これらが一組となって用いられる（尚、説明の都合上、本案内部材を、異なる番号を付し区別している）。
本案内部材１，２の具体的な形状を案内部材１で説明すれば、上述した走行面１ａ及び案内面１ｂが上記矩形状型部材の矩形外面のうちの外上面及び外下面にそれぞれ形成される一方、かかる矩形外面のうちの外側面の一方で、当該外側面の上半面には下記開口部４の上端部への取付面１ｃが形成され、また、かかる矩形外面のうちの外側面の他方には外観上の見栄えを整えるための（及びキズ隠しのための）、本実施の形態では線状模様が施された化粧面１ｄが形成されている（図２（Ｂ））。そして、走行面１ａには、小溝１ａ１，１ａ２が所定間隔を空けて成形される一方、案内面１ｂには、大溝１ｂ１，１ｂ２が、小溝１ａ１，１ａ２に対向する態様で所定間隔を空けて成形され、小溝１ａ１，１ａ２の溝中心が、大溝１ｂ１，１ｂ２の溝中心とそれぞれ一致して成形され、また、取付面１ｃに垂設する態様で、且つ、走行面１ａが延出する態様で取付板１ｅが突設されている。尚、案内部材２についても、案内部材１と同様である。
【０００８】
このような形態の案内部材１，２のうち案内部材１は、図１に示すように、キャビネット（収納箱）３の、天板３ａ、地板３ｂ、右側板３ｃ及び左側板３ｄで区画される空間の開口部４側で、当該開口部４の上縁部、即ち天板３ａの縁部３ａ１に取付面１ｃ及び取付板１ｅを当接させるとともに、取付板１ｅを当該縁部３ａ１に上乗せ状態にしてビス５で螺着させている。一方、案内部材２は、同図に示すように、案内部材１に向き合う態様をなすように開口部４側で、当該開口部４の下縁部、即ち地板３ｂの縁部３ｂ１に取付面２ｃ及び取付板２ｅを当接させるとともに、取付板２ｅを当該縁部３ｂ１に上乗せ状態にしてビス５で螺着させている。このとき、本案内部材１は、走行面１ａ側を上方に向けて、また、案内面１ｂを下方に向けて配設されるとともに、本案内部材２も同様に、走行面２ａ側を上方に向けて、また、案内面２ｂを下方に向けて配設される。したがって、本実施の形態では、案内部材１による案内面１ｂが開口部４の上縁部に、また、案内部材２による走行面２ａが開口部４の下縁部に配設される態様となって、案内部材１の案内面１ｂ側と案内部材２の走行面２ａ側とが向き合う態様となり、これにより、案内面１ｂの大溝１ｂ１，１ｂ２と走行面２ａの小溝２ａ１，２ａ２とがそれぞれ向き合って配設される（図３も参照）。
【０００９】
本案内部材１，２がこのようにしてキャビネット３の開口部４に配設された後、これら案内部材１，２には、開口部４を開閉すべく当該案内部材１，２上を滑動する扉（開閉体）６，７が配設される。即ち、扉６，７は、図１に示すように、矩形状枠体にガラス窓が嵌め込まれた形態をなし、これら枠体のうちの上枠面６ａには、適宜な間隔を空けて取付金具８がそれぞれ設けられ、また、上枠面７ａには、適宜な間隔を空けて取付金具９がそれぞれ設けられ、これら取付金具８，９には、被案内部材１０（図２参照）がそれぞれ取着されるようになっており、扉６に取着された被案内部材１０の滑動子が案内部材１の案内面１ｂの大溝１ｂ１に、また、扉７に取着された被案内部材１０の滑動子が案内面１ｂの大溝１ｂ２に緩嵌される（図３参照）。一方、これら被案内部材１０に対応して枠体の下枠には走行部材１１（図２参照）が取着されるようになっており、走行部材１１の転動体の一部が下枠面から僅かに突出し、このうち扉６に取着された転動体は案内部材２の走行面２ａの小溝２ａ１に、また、扉７に取着された転動体は走行面２ａの小溝２ａ２に緩嵌される（図３参照）。これにより、扉６，７が案内部材１，２上を滑動する。尚、案内部材１には、図１及び図２（Ｂ）に示すように、適宜位置にストッパ１２がビス１３で固着されており、扉６，７が案内部材１，２から脱落するのを防止している。
【００１０】
扉６，７が、上述のようにして案内部材１，２上を滑動できるようにそれぞれ取り付けられた後、案内部材１，２のそれぞれの両端にキャップ１４を差し込んで外観上の見栄えを整えるための処置を施す。更に、扉６，７の枠体のうち、扉６についてはキャビネット３の右側板３ｃに近い方の横枠体に遮蔽板１５ａを、また、扉７についてはキャビネット３の左側板３ｄに近い方の横枠体に遮蔽板１５ｂを取り付け、扉７を閉塞した際、扉７と左側板３ｄとの隙間を遮蔽している。また、かかる遮蔽板１５ａ，１５ｂは、扉６，７を滑動させるための取手を兼ねている。更に、遮蔽板１５ａは、扉７に当接することにより扉６自体の，また、遮蔽板１５ｂは、扉６に当接することにより扉７自体のストッパをも兼ねている。
但し、側板３ｃ，３ｄを、案内部材１の走行面１ａ、案内面１ｂ及び案内部材２の走行面２ａ，案内面２ｂの幅長分だけ天板３ａや地板３ｂより突出させてもよく、このようにすれば、遮蔽板１５ａ，１５ｂやキャップ１４をなくすことができる。
【００１１】
ところで、本実施の形態では、案内部材１による案内面１ｂを開口部４の上縁部に、また、案内部材２による走行面２ａを開口部４の下縁部に配設して案内部材１の案内面１ｂ側と案内部材２の走行面２ａ側とを向き合わせる態様のものについて説明したが、案内部材１と案内部材２とを交換して、案内部材２による案内面２ｂを開口部４の上縁部に、また、案内部材１による走行面１ａを開口部４の下縁部に配設して案内部材２の案内面２ｂ側と案内部材１の走行面１ａ側とを向き合わせるようにしてもよいことはもちろんである。
更に、走行面１ａ，２ａが開口部４の上縁部に、また、案内面１ｂ，２ｂが開口部４の下縁部に配設されるように要求される場合にも容易に対応できる。この場合、例えば案内部材１による走行面１ａが開口部４の上縁部に配設されるように、取付板１ｅを天板３の縁部３ａ１に下支え状態にしてビス５で螺着させ、また、案内部材２による案内面２ｂが開口部４の下縁部に配設されるように、取付板２ｅを地板３ｂの縁部３ｂ１に下支え状態にしてビス５で螺着させる。このとき、上縁部の、案内部材１による走行面１ａ側と、下縁部の、案内部材２による案内面２ｂ側とが向き合うことになる。
【００１２】
また、本実施の形態では、案内部材１では、その走行面１ａの小溝１ａ１，１ａ２の形状と案内面１ｂの大溝１ｂ１，１ｂ２の形状とが異なり、したがって、案内部材２においても、その走行面２ａの小溝２ａ１，２ａ２の形状と案内面２ｂの大溝２ｂ１，２ｂ２の形状とが異なるものについて説明したが、図４に示すように、案内部材２０において、その走行面２０ａの溝２０ａ１，２０ａ２の形状と案内面２０ｂの溝２０ｂ１，２０ｂ２の形状とを同一にし、したがって、案内部材２１においても、その走行面２１ａの溝２１ａ１，２１ａ２の形状と案内面２１ｂの溝２１ｂ１，２１ｂ２の形状とを同一にして、溝２０ｂ１，２０ｂ２には、溝２１ａ１，２１ａ２に緩嵌される走行部材２２の転動体を、スプリングなどの付勢手段（図示せず）で押圧するように配置してもよい。このような案内部材２０，２１によれば、上述した部品管理の面からの取り扱い性やフレキシブル性は、更に優れたものとなる。
【００１３】
また、上述した、例えば案内部材１では、その走行面１ａに小溝１ａ１，１ａ２を成形し、案内面に大溝１ｂ１，１ｂ２を成形したものであったが、図５に示すような案内部材３０，３１のように、その走行面３０ａ，３１ａに、略Ｔ字状の突条３０ａ１及び３０ａ２，３１ａ１及び３１ａ２をそれぞれ成形し、案内面３０ｂ，３１ｂには、凹溝３０ｂ１及び３０ｂ２，３１ｂ１及び３１ｂ２をそれぞれ成形したものでもよいことはもちろんである。このような案内部材３０，３１では、被案内部材３２の滑動子を凹溝３０ｂ１及び３０ｂ２に緩嵌させ、走行部材３３の転動体を突条３１ａ１及び３１ａ２上を移動させる。
【００１４】
これまで説明した、例えば案内部材１では、その走行面１ａには小溝１ａ１，１ａ２が２列をなして成形され、また、その案内面１ｂには大溝１ｂ１，１ｂ２が２列をなして成形されていたが、これらの溝が３列以上、場合によっては１列をなして成形されるような案内部材であってもよいことは言うまでもない。
【００１５】
ところで、上述した案内部材１等は、外上面及び外下面に走行面１ａ及び案内面１ｂがそれぞれ形成され、外側面の一方には取付面１ｃが、また、外側面の他方には化粧面１ｄが形成される一方、取付面１ｃに垂設する態様で、且つ、走行面１ａが延出する態様で取付板１ｅが突設されており、かかる取付板１ｅを、図３のように当該縁部３ａ１に上乗せ状態にしてビス５で螺着させるようにしたものであるが、キャビネット３自体が高く、そのため天井が邪魔して取付板１ｅをビス５で螺着させることができない場合には、図６に示すような案内部材４０，４１を用いることができる。案内部材４０，４１は、上述同様に一体に押出成形された同一形状のものであり、案内部材４０は、外上面及び外下面に走行面４０ａ及び案内面４０ｂがそれぞれ形成され、外側面の一方には取付面４０ｃが、また、外側面の他方には化粧面４０ｄが形成される一方、取付板４０ｅが、取付面４０ｃの最下端に当該取付面４０ｃに垂設する態様で突設される形態をなすもので、天板３ａの縁部３ａ１に取付面４０ｃ及び取付板４０ｅを当接させ、当該取付板４０ｅを、キャビネット３の内側からねじ込めるようにしたビス５により縁部３ａ１に固定して用いる。一方、案内部材４１については、地板３ｂの縁部３ｂ１に取付面４１ｂ１（この場合、案内面４１ｂの終端面が取付面となる）及び取付板４１ｅを当接させ、当該取付板４１ｅを、上述同様にキャビネット３の内側からねじ込めるようにしたビス５により縁部３ｂ１に固定して用いる。
【００１６】
また、上吊りタイプの扉に対しても、天井が邪魔して取付板をビス５で螺着させることができない場合には、図７に示すような案内部材５０，５１を用いることができる。案内部材５０は、外上面及び外下面に走行面５０ａ及び案内面５０ｂがそれぞれ形成され、外側面の一方には取付面５０ｃが、また、外側面の他方には化粧面５０ｄが形成される一方、取付板５０ｅが、取付面５０ｃの最上端に当該取付面５０ｃに垂設する態様で突設される形態をなすもので、天板３ａの縁部３ａ１に取付面５０ａ１（走行面５０ａの終端面が取付面となる）及び取付板５０ｅを当接させ、当該取付板５０ｅを、キャビネット３の内側からねじ込めるようにしたビス５により縁部３ａ１に固定して用いる。一方、案内部材５１については、地板３ｂの縁部３ｂ１に取付面５１ｃ及び取付板５１ｅを当接させ、当該取付板５１ｅを、上述同様にキャビネット３の内側からねじ込めるようにしたビス５により縁部３ｂ１に固定して用いる。
【００１７】
【発明の効果】
以上のように、本発明の開閉体の案内部材によれば、本案内部材を開口部の上下縁部のいずれにも配設することができるので、即ち、従来例の上レールとしても下レールとしても用いることができるので、部品管理がし易く、取り扱い性に優れたものとなるとともに、従来のものに比しフレキシブル性に優れたものとなっている。
【図面の簡単な説明】
【図１】本発明の実施の形態に係る案内部材の取付構造を示す分解斜視図である。
【図２】図１の案内部材の取付構造図である。
【図３】図１の取付構造の側面図である。
【図４】図１の案内部材とは形状が異なる案内部材の取付構造図である。
【図５】図１の案内部材とは形状が異なる案内部材の取付構造図である。
【図６】図１の案内部材とは異なる天板や地板への取付構造図である。
【図７】図１の案内部材とは異なる天板や地板への取付構造図である。
【図８】従来の案内部材の取付構造を示す断面図である。
【符号の説明】
１，２　　　　　　　　案内部材
２０〜５０　　　　　　案内部材
２１〜５１　　　　　　案内部材
１ａ，２ａ　　　　　　走行面
１ｂ，２ｂ　　　　　　案内面
１ｃ，２ｃ　　　　　　取付面
１ｄ，２ｄ　　　　　　化粧面
３　　　　　　　　　　キャビネット（収納箱）
３ａ１　　　　　　　　上縁部
３ｂ１　　　　　　　　下縁部
４　　　　　　　　　　開口部
６，７　　　　　　　　扉（開閉体）
【図１】
2004079758.tif 000003
【図２】
2004079758.tif 000004
【図３】
2004079758.tif 000005
【図４】
2004079758.tif 000006
【図５】
2004079758.tif 000007
【図６】
2004079758.tif 000008
【図７】
2004079758.tif 000009
【図８】
2004079758.tif 000010